(57)【要約】【課題】キャリアアグリゲーション機能の効率性を向上する通信システム、通信装置、相手通信装置及び通信制御方法を提供する。【解決手段】通信装置101と、周波数帯域105A,105Bを用いるキャリアアグリゲーション機能を利用して通信装置101と無線通信する相手通信装置103とから構成される通信システム100において、通信装置101は、基準時刻を示す基準情報が付加された周波数帯域105A,105Bにおける複数の無線信号を送信し、複数の無線信号の受信タイミング差を示す情報を受信すると、当該受信タイミング差を示す情報に基づき、周波数帯域105A,105Bにおける無線信号の送信タイミングを補正し、相手通信装置103は、複数の無線信号それぞれの基準情報の受信時刻と基準時刻から、複数の無線信号の受信タイミング差を求め、受信タイミング差を示す情報を送信する。【選択図】図１
2013247643.tif 000002
【特許請求の範囲】
【請求項１】
通信装置と、複数の周波数帯域を用いるキャリアアグリゲーション機能を利用して前記通信装置と無線通信する相手通信装置とから構成される通信システムにおいて、
前記通信装置は、
前記複数の周波数帯域における複数の無線信号それぞれに、基準時刻を示す基準情報を付加し、
前記基準情報が付加された前記複数の無線信号を前記相手通信装置に送信し、
前記相手通信装置から前記複数の無線信号の受信タイミング差を示す情報を受信すると、当該受信タイミング差を示す情報に基づき、前記複数の周波数帯域における無線信号の送信タイミングを補正し、
前記相手通信装置は、
前記複数の無線信号それぞれの基準情報の受信時刻と前記基準時刻とから、前記複数の無線信号の受信タイミング差を求め、前記受信タイミング差を示す情報を前記通信装置に送信する
通信システム。
【請求項２】
請求項１に記載の通信システムにおいて、前記通信装置は、
前記相手通信装置から位置情報を取得し、
当該位置情報と、自装置の位置情報と、用いられた前記複数の周波数帯域の情報とを含む通信条件を、前記受信タイミング差を示す情報と対応付けて記憶する
ことを特徴とする通信システム。
【請求項３】
請求項２に記載の通信システムにおいて、前記通信装置は、
記憶された前記通信条件を満たす無線通信を行う場合、当該通信条件に対応付けられている前記受信タイミング差を示す情報に基づき、前記複数の周波数帯域における無線信号の送信タイミングを予め補正する
ことを特徴とする通信システム。
【請求項４】
請求項１乃至３のいずれか一項に記載の通信システムにおいて、前記通信装置は、所定の間隔で、複数の無線信号に基準情報を付加して送信し、当該送信毎に、前記相手通信装置から受信タイミング差を示す情報を受信することを特徴とする通信システム。
【請求項５】
請求項１乃至４のいずれか一項に記載の通信システムにおいて用いられる通信装置であって、
複数の周波数帯域における複数の無線信号を相手通信装置に送信する第１通信部と、
前記第１通信部を制御する第１制御部であって、
前記複数の無線信号それぞれに、基準時刻を示す基準情報を付加し、
前記相手通信装置から前記複数の無線信号の受信タイミング差を示す情報を受信すると、当該受信タイミング差を示す情報に基づき、前記複数の周波数帯域における無線信号の送信タイミングを補正する
第１制御部と
を備える通信装置。
【請求項６】
請求項１乃至４のいずれか一項に記載の通信システムにおいて用いられる相手通信装置であって、
複数の周波数帯域における複数の無線信号を通信装置から受信する第２通信部と、
前記複数の無線信号それぞれの基準情報の受信時刻と基準時刻とから、前記複数の無線信号の受信タイミング差を求め、前記受信タイミング差を示す情報を前記通信装置に送信するように前記第２通信部を制御する第２制御部と
を備える相手通信装置。
【請求項７】
通信装置と、複数の周波数帯域を用いるキャリアアグリゲーション機能を利用して前記通信装置と無線通信する相手通信装置とから構成される通信システムにおける通信制御方法であって、
前記通信装置が、前記複数の周波数帯域における複数の無線信号それぞれに、基準時刻を示す基準情報を付加するステップと、
前記通信装置が、前記基準情報が付加された複数の無線信号を前記相手通信装置に送信するステップと、
前記相手通信装置が、前記複数の無線信号それぞれの基準情報の受信時刻と前記基準時刻とから、前記複数の無線信号の受信タイミング差を求めるステップと、
前記相手通信装置が、前記受信タイミング差を示す情報を前記通信装置に送信するステップと、
前記通信装置が、前記相手通信装置から前記複数の無線信号の受信タイミング差を示す情報を受信するステップと、
前記通信装置が、当該受信タイミング差を示す情報に基づき、前記複数の周波数帯域における無線信号の送信タイミングを補正するステップと
を含む通信制御方法。
【発明の詳細な説明】
【技術分野】
【０００１】
本発明は、通信システム、通信装置、相手通信装置及び通信制御方法に関するものである。
【背景技術】
【０００２】
次世代の世界標準の無線通信方式として、ＬＴＥ（Long Term Evolution）システムが３ＧＰＰ（3rd Generation Partnership Project）で標準化されている。ＬＴＥシステムでは、通信品質の向上のためにキャリアアグリゲーション機能の利用が検討されている。キャリアアグリゲーション機能とは、複数の搬送波（キャリア）を仮想的にひとつのキャリアとみなすことで、帯域拡張に伴う通信の高速化を実現するものである。
【０００３】
近年、ＬＴＥシステムでは、同一の周波数帯域における異なるキャリアを束ねることのみならず、異なる周波数帯域におけるキャリア同士を束ねることが注目されている（例えば、非特許文献１参照）。例えば、８００ＭＨｚ帯のキャリアと２ＧＨｚ帯のキャリアとが束ねられる。複数の周波数帯域を利用してキャリアアグリゲーション機能を実現することにより、同一の周波数帯域のみの利用に比べ、キャリアの束ね方に自由度が広がり、広い周波数帯域を確保し易くなる。
【先行技術文献】
【非特許文献】
【０００４】
【非特許文献１】http://businessnetwork.jp/tabid/65/artid/767/page/3/Default.aspx
【発明の概要】
【発明が解決しようとする課題】
【０００５】
しかし、異なる周波数帯域は、それぞれ異なる伝搬特性を有しているため、異なる周波数帯域のキャリアで変調された信号が通信元から通信先に届くタイミングは異なる。キャリアアグリゲーション機能を利用するためには、束ねられた複数の信号を全て受信してから、これらの信号を合成して、処理する必要がある。そのため、束ねられた複数の信号が、ばらばらに受信されると、通信先は、先に受信した信号をバッファに蓄積する必要がある。そして、通信先は、全ての信号が揃った後、復調処理等行うことになる。
【０００６】
よって、複数の信号がばらばらに通信先に届くと、全ての信号の受信に必要な時間分、処理が遅延することになる。キャリアアグリゲーション機能で用いられる異なる周波数帯域が離れているほど、遅延は大きくなり、データ損失による通信不能を引き起こすこともある。
【０００７】
従って、上記のような問題点に鑑みてなされた本発明の目的は、キャリアアグリゲーション機能の効率性を向上する通信システム、通信装置、相手通信装置及び通信制御方法を提供することにある。
【課題を解決するための手段】
【０００８】
上述した諸課題を解決すべく、第１の観点に係る通信システムの発明は、
通信装置と、複数の周波数帯域を用いるキャリアアグリゲーション機能を利用して前記通信装置と無線通信する相手通信装置とから構成される通信システムにおいて、
前記通信装置は、
前記複数の周波数帯域における複数の無線信号それぞれに、基準時刻を示す基準情報を付加し、
前記基準情報が付加された前記複数の無線信号を前記相手通信装置に送信し、
前記相手通信装置から前記複数の無線信号の受信タイミング差を示す情報を受信すると、当該受信タイミング差を示す情報に基づき、前記複数の周波数帯域における無線信号の送信タイミングを補正し、
前記相手通信装置は、
前記複数の無線信号それぞれの基準情報の受信時刻と前記基準時刻とから、前記複数の無線信号の受信タイミング差を求め、前記受信タイミング差を示す情報を前記通信装置に送信する
通信システムである。
【０００９】
また、第２の観点に係る発明は、第１の観点に係る通信システムにおいて、前記通信装置は、
前記相手通信装置から位置情報を取得し、
当該位置情報と、自装置の位置情報と、用いられた前記複数の周波数帯域の情報とを含む通信条件を、前記受信タイミング差を示す情報と対応付けて記憶する
ことを特徴とするものである。
【００１０】
また、第３の観点に係る発明は、第２の観点に係る通信システムにおいて、前記通信装置は、記憶された前記通信条件を満たす無線通信を行う場合、当該通信条件に対応付けられている前記受信タイミング差を示す情報に基づき、前記複数の周波数帯域における無線信号の送信タイミングを予め補正することを特徴とするものである。
【００１１】
また、第４の観点に係る発明は、第１乃至３のいずれか１つの観点に係る通信システムにおいて、前記通信装置は、所定の間隔で、複数の無線信号に基準情報を付加して送信し、当該送信毎に、前記相手通信装置から受信タイミング差を示す情報を受信することを特徴とするものである。
【００１２】
また、第５の観点に係る発明は、第１乃至４のいずれか１つの観点に係る通信システムに用いられる通信装置であって、
複数の周波数帯域における複数の無線信号を相手通信装置に送信する第１通信部と、
前記第１通信部を制御する第１制御部であって、
前記複数の無線信号それぞれに、基準時刻を示す基準情報を付加し、
前記相手通信装置から前記複数の無線信号の受信タイミング差を示す情報を受信すると、当該受信タイミング差を示す情報に基づき、前記複数の周波数帯域における無線信号の送信タイミングを補正する
第１制御部と
を備える通信装置である。
【００１３】
また、第６の観点に係る発明は、第１乃至４のいずれか１つの観点に係る通信システムに用いられる相手通信装置であって、
複数の周波数帯域における複数の無線信号を通信装置から受信する第２通信部と、
前記複数の無線信号それぞれの基準情報の受信時刻と基準時刻とから、前記複数の無線信号の受信タイミング差を求め、前記受信タイミング差を示す情報を前記通信装置に送信するように前記第２通信部を制御する第２制御部と
を備える相手通信装置である。
【００１４】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１５】
例えば、本発明を方法として実現させた第７の観点に係る通信制御方法は、
通信装置と、複数の周波数帯域を用いるキャリアアグリゲーション機能を利用して前記通信装置と無線通信する相手通信装置とから構成される通信システムにおける通信制御方法であって、
前記通信装置が、前記複数の周波数帯域における複数の無線信号それぞれに、基準時刻を示す基準情報を付加するステップと、
前記通信装置が、前記基準情報が付加された複数の無線信号を前記相手通信装置に送信するステップと、
前記相手通信装置が、前記複数の無線信号それぞれの基準情報の受信時刻と前記基準時刻とから、前記複数の無線信号の受信タイミング差を求めるステップと、
前記相手通信装置が、前記受信タイミング差を示す情報を前記通信装置に送信するステップと、
前記通信装置が、前記相手通信装置から前記複数の無線信号の受信タイミング差を示す情報を受信するステップと、
前記通信装置が、当該受信タイミング差を示す情報に基づき、前記複数の周波数帯域における無線信号の送信タイミングを補正するステップと
を含む通信制御方法である。
【発明の効果】
【００１６】
上記のように構成された本発明に係る通信システム、通信装置、相手通信装置及び通信制御方法によれば、キャリアアグリゲーション機能の効率性を向上することができる。
【図面の簡単な説明】
【００１７】
【図１】図１は、本発明の一実施形態に係る概略的な通信システム構成図である。
【図２】図２は、本発明の一実施形態に係る通信端末の概略構成を示す機能ブロック図である。
【図３】図３は、本発明の一実施形態に係る基地局の概略構成を示す機能ブロック図である。
【図４】図４は、本発明の一実施形態に係る通信端末の処理を示すフローチャートである。
【図５】図５は、本発明の一実施形態に係る基地局の処理を示すフローチャートである。
【図６】図６は、本発明の一実施形態に係る受信タイミング差を示す説明図である。
【図７】図７は、本発明の一実施形態に係る受信タイミング差を示す説明図である。
【図８】図８は、本発明の一実施形態に係る送信タイミングの補正を示す説明図である。
【発明を実施するための形態】
【００１８】
以下、本発明の通信装置及び相手通信装置を通信端末及び基地局にそれぞれ適用した場合の実施形態について、図面を参照して説明する。
【００１９】
図１は、本発明の一実施形態に係る概略的な通信システム構成図である。通信システム１００は、通信端末１０１と基地局１０３とから構成されている。通信システム１００は、複数の周波数帯域のキャリアを束ねるキャリアアグリゲーション機能を利用できるシステムであり、例えばＬＴＥシステムである。
【００２０】
通信端末１０１と基地局１０３とは、無線接続を確立して、複数の周波数帯域を用いるキャリアアグリゲーション機能を利用して無線通信する。複数の周波数帯域には、例えば、８００ＭＨｚ帯、１．７ＧＨｚ帯、２ＧＨｚ帯等が含まれる。図１において、通信端末１０１と基地局１０３との間の無線通信では、周波数帯域が異なる２つの周波数帯域１０５Ａ及び１０５Ｂが用いられている。なお、キャリアアグリゲーション機能で用いられる周波数帯域は、２つに限定されものではなく、３つ以上にしてもよい。
【００２１】
図２は、本発明の一実施形態に係る通信端末の概略構成を示す機能ブロック図である。本実施形態の通信端末１０１は、通信端末通信部（第１通信部）１１１と、通信端末ベースバンド部１１３と、記憶部１１５と、通信端末制御部（第１制御部）１１７とを備えている。通信端末通信部１１１と、通信端末ベースバンド部１１３と、記憶部１１５とは、通信端末制御部１１７に接続されている。
【００２２】
通信端末通信部１１１は、アンテナを介して基地局１０３と、複数の周波数帯域１０５Ａ及び１０５Ｂにおける複数のデータ（無線信号）を送受信するものである。通信端末通信部１１１は、受信した信号（受信信号）に対して低雑音での増幅及びダウンコンバート等を行い、当該信号を通信端末ベースバンド部１１３に送る。また、通信端末通信部１１１は、通信端末ベースバンド部１１３からの信号に対しアップコンバート及び増幅等を行い、送信信号を生成する。そして、通信端末通信部１１１は、アンテナを介して当該送信信号を基地局１０３に送信する。
【００２３】
通信端末ベースバンド部１１３は、通信端末通信部１１１からの受信信号に対してＡＤ変換や高速フーリエ変換などを行うことにより、受信信号を復調し、ベースバンド信号を取り出す。そして、通信端末ベースバンド部１１３は、ベースバンド信号を通信端末制御部１１７に送る。また、通信端末ベースバンド部１１３は、通信端末制御部１１７からのベースバンド信号に対して逆高速フーリエ変換やＤＡ変換などを行うことにより、ベースバンド信号を変調する。そして、通信端末ベースバンド部１１３は、変調されたベースバンド信号を通信端末通信部１１１に送る。
【００２４】
記憶部１１５は、各種情報を記憶するものであり、ワークメモリ等としても機能する。
【００２５】
通信端末制御部１１７は、通信端末１０１の各機能ブロックをはじめとして通信端末１０１の全体を制御及び管理している。通信端末制御部１１７は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。通信端末制御部１１７が行う処理については、後述の図４の説明にて詳述する。
【００２６】
図３は、本発明の一実施形態に係る基地局の概略構成を示す機能ブロック図である。本実施形態の基地局１０３は、基地局通信部１２１と、基地局ベースバンド部１２３と、基地局制御部１２７とを備えている。基地局通信部１２１及び基地局ベースバンド部１２３は、基地局制御部１２７に接続されている。
【００２７】
基地局通信部１２１は、アンテナを介して通信端末１０１と、複数の周波数帯域１０５Ａ及び１０５Ｂにおける複数のデータ（無線信号）を送受信するものである。基地局通信部１２１は、受信した信号（受信信号）に対して低雑音での増幅及びダウンコンバート等を行い、当該信号を基地局ベースバンド部１２３に送る。また、基地局通信部１２１は、基地局ベースバンド部１２３からの信号に対しアップコンバート及び増幅等を行い、送信信号を生成する。そして、基地局通信部１２１は、アンテナを介して当該送信信号を通信端末１０１に送信する。
【００２８】
基地局ベースバンド部１２３は、基地局通信部１２１からの受信信号に対してＡＤ変換や高速フーリエ変換などを行うことにより、受信信号を復調し、ベースバンド信号を取り出す。そして、基地局ベースバンド部１２３は、ベースバンド信号を基地局制御部１２７に送る。また、基地局ベースバンド部１２３は、基地局制御部１２７からのベースバンド信号に対して逆高速フーリエ変換やＤＡ変換などを行うことにより、ベースバンド信号を変調する。そして、基地局ベースバンド部１２３は、変調されたベースバンド信号を基地局通信部１２１に送る。
【００２９】
基地局制御部１２７は、基地局１０３の各機能ブロックをはじめとして基地局１０３の全体を制御及び管理している。基地局制御部１２７は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。基地局制御部１２７が行う処理については、後述の図５の説明にて詳述する。
【００３０】
続いて、図４及び図５を用いて、通信端末１０１及び基地局１０３の処理について説明する。図４は、本発明の一実施形態に係る通信端末の処理を示すフローチャートである。図５は、本発明の一実施形態に係る基地局の処理を示すフローチャートである。
【００３１】
通信端末１０１の通信端末制御部１１７は、通信端末通信部１１１及び通信端末ベースバンド部１１３を制御して、周波数帯域１０５Ａ及び１０５Ｂにおける２つの無線信号を生成する。その際、通信端末制御部１１７は、２つの無線信号の情報源である２つのベースバンド信号に、基準時刻を示す基準情報（タイムスタンプ）を付加する（ステップＳ１０１）。基準時刻は、複数の無線信号の基準情報の送信タイミングの関係を特定できる時刻であり、例えば、基準情報の絶対的な送信時刻、又は１つの基準情報の送信時刻を基準としたときの基準情報の相対的な送信時刻である。
【００３２】
また、通信端末制御部１１７は、基準情報を付加する位置を、ベースバンド信号の先頭（ヘッダ）、後尾、先頭と後尾との間のいずれかに設定することができる。
【００３３】
通信端末制御部１１７は、基準情報が付加された複数の無線信号を、同一の送信開始タイミングで、基地局１０３に送信するように通信端末通信部１１１を制御する（ステップＳ１０２）。
【００３４】
すると、基地局１０３の基地局通信部１２１は、基準情報が付加された複数の無線信号を受信し（ステップＳ２０１）、当該無線信号は、基地局ベースバンド部１２３を介して基地局制御部１２７に送られる。
【００３５】
基地局制御部１２７は、複数の無線信号それぞれの基準情報の受信時刻を取得する。受信時刻とは、複数の無線信号の基準情報の受信タイミングの関係を特定できる時刻であり、例えば、基準情報の絶対的な受信時刻、又は１つの基準情報の受信時刻を基準としたときの基準情報の相対的な受信時刻である。受信時刻の取得は、例えば、基地局１０３がＲＴＣ（Real Time Clock：リアルタイムクロック）を備えることにより実現できる。そして、基地局制御部１２７は、基準情報の受信時刻と基準時刻とから、複数の無線信号の受信タイミング差を算出する（ステップＳ２０２）。
【００３６】
例えば、図６のように、基準時刻が、基準情報の絶対的な送信時刻（絶対送信時刻）であり、基準情報が、無線信号の先頭に付加され、無線信号に関する受信時刻が、基準情報の絶対的な受信時刻（絶対受信時刻）であるとする。つまり、図６では、周波数領域１０５Ａにおける無線信号１３１Ａ１の先頭に、基準情報１３３Ａ１が付加され、基準情報１３３Ａ１は、当該基準情報１３３Ａ１の送信時刻が１２時０分０秒であることを示す。また、周波数領域１０５Ｂにおける無線信号１３１Ｂ１の先頭には、基準情報１３３Ｂ１が付加され、基準情報１３３Ｂ１は、当該基準情報１３３Ｂ１の送信時刻が１２時０分０秒であることを示す。
【００３７】
そして、基準情報１３３Ａ１は、基地局１０３によって、１２時０分３秒に受信されたとする。また、基準情報１３３Ｂ１は、基地局１０３によって、１２時０分６秒に受信されたとする。このとき、受信タイミング差１３５ａは、以下の式（１）により算出され、３秒となる。
【００３８】
受信タイミング差１３５ａ
＝（基準情報１３３Ｂ１の絶対受信時刻）−（基準情報１３３Ｂ１の絶対送信時刻）−｛（基準情報１３３Ａ１の絶対受信時刻）−（基準情報１３３Ａ１の絶対送信時刻）｝
＝12:00:06−12:00:00−｛12:00:03−12:00:00｝
＝00:00:03                                                        （１）
【００３９】
なお、図６では、基準情報１３３Ａ１及び１３３Ｂ１の絶対送信時刻が同一であるあるため、基地局制御部１２７は、基準情報１３３Ａ１及び１３３Ｂ１の付加位置は共通していると判断できる。よって、基地局制御部１２７は、絶対受信時刻の差分（12:00:06−12:00:03）を計算することにより、受信タイミング差１３５ａを求めてもよい。基準情報の付加位置が異なる場合は、基地局制御部１２７は、式（１）により、受信タイミング差を求めることができる。
【００４０】
また、図７のように、基準時刻が、１つの基準情報の送信時刻を基準としたときの基準情報の相対的な送信時刻（相対送信時刻）であり、基準情報が、無線信号の異なる位置に付加され、無線信号に関する受信時刻が、１つの基準情報の送信時刻を基準としたときの基準情報の相対的な受信時刻（相対受信時刻）であるとする。つまり、図７では、周波数領域１０５Ａにおける無線信号１３１Ａ２の先頭に、基準情報１３３Ａ２が付加され、基準情報１３３Ａ２は、当該基準情報１３３Ａ２を基準としたときの相対的な送信時刻が０時０分０秒（絶対的な時刻１２時に対応）であることを示す。また、周波数領域１０５Ｂにおける無線信号１３１Ｂ２の先頭と後尾との間には、基準情報１３３Ｂ２が付加され、基準情報１３３Ｂ２は、基準情報１３３Ａ２を基準としたときの相対的な送信時刻が０時０分３秒であることを示す。
【００４１】
そして、基準情報１３３Ａ２は、基地局１０３によって、１２時０分３秒に受信されたとする。そのため、基準情報１３３Ａ２を基準としたときの基準情報１３３Ａ２の相対的な受信時刻は、０時０分０秒となる。また、無線信号１３１Ｂ２の基準情報１３３Ｂ２は、基地局１０３によって、１２時０分９秒に受信されたとする。そのため、基準情報１３３Ａ２を基準としたときの基準情報１３３Ｂ２の相対的な受信時刻は、０時０分６秒となる。このとき、受信タイミング差１３５ｂは、以下の式（２）により算出され、３秒となる。
受信タイミング差１３５ｂ
＝（基準情報１３３Ｂ２の相対受信時刻）−（基準情報１３３Ｂ２の相対送信時刻）
＝00:00:06−00:00:03
＝00:00:03                                                        （２）
【００４２】
続いて、基地局制御部１２７は、算出した受信タイミング差を示す情報を通信端末１０１に送信するように、基地局ベースバンド部１２３及び基地局通信部１２１を制御する（ステップＳ２０３）。なお、基地局制御部１２７は、受信タイミング差を示す情報に、ステップＳ２０２で算出された受信タイミング差の値（遅延量）そのものだけでなく、遅延している無線信号を特定できる情報、例えば周波数帯域の識別番号などを含めることができる。
【００４３】
すると、通信端末１０１の通信端末通信部１１１は、受信タイミング差を示す情報を受信する（ステップＳ１０３）。通信端末制御部１１７は、基地局１０１との現在の通信条件を、受信タイミング差を示す情報と対応付けて記憶部１１５に記憶させる（ステップＳ１０４）。通信条件とは、通信端末１０１の位置情報、基地局１０３の位置情報、キャリアアグリゲーション機能で用いている周波数帯域を特定する情報（例えば、周波数帯域の識別番号）等を含む情報である。通信端末１０１及び基地局１０３の位置情報は、例えば、通信端末１０１及び基地局１０３がＧＰＳ（Global Positioning System）受信機を備えることにより取得が可能になる。また、基地局１０３は、取得した自局の位置情報を、受信タイミング差を示す情報と伴に又は任意のタイミングで、通信端末１０１に送信することができる。
【００４４】
そして、通信端末制御部１１７は、受信タイミング差を示す情報に基づき、周波数帯域１０５Ａ及び１０５Ｂにおける無線信号の送信タイミングを補正する（ステップＳ１０５）。つまり、通信端末制御部１１７は、遅延する無線信号の送信タイミングを、受信タイミング差の分、早める。
【００４５】
例えば、通信端末１０１は、図６に示される受信タイミング差１３５ａを示す情報を受信すると、図８に示されるように、無線信号１３１Ｂ１の送信タイミングを、受信タイミング差１３５ａの分、早める。これにより、基地局１０３は、無線信号１３１Ａ１及び無線信号１３１Ｂ１を同じタイミングで受信することになる。
【００４６】
通信端末１０１と基地局１０３とは、所定の間隔で、ステップＳ１０１〜Ｓ１０５及びステップＳ２０１〜Ｓ２０３を行うことができる。つまり、通信端末１０１は、所定の間隔で、基準情報が付加された複数の無線信号を基地局１０３に送信する。そして、基地局１０３は、当該複数の無線信号の受信毎に、受信タイミング差を算出し、送信する。通信端末１０１は、受信タイミング差を受信する毎に、複数の無線信号の送信タイミングを補正する。所定の間隔とは、規則的又は不規則的に連続する複数の間隔である。例えば、所定の間隔を、通信端末１０１の位置登録エリアが変更されたタイミング、基地局１０３が改修されたタイミング、受信タイミング差が予め規定された閾値以上になったタイミング等と規定することができる。また、システム１００がＴＤＤ（Time Division Duplex：時分割複信）システムである場合は、通信端末１０１は、所定の間隔としてタイムスロット毎に、基準情報が付加された信号を送信することができる。更に、システム１００がＦＤＤ（Frequency Division Duplex：周波数分割複信）システムである場合には、通信端末１０１は、所定の間隔としてフレーム毎の間隔を設定することもできる。
【００４７】
また、通信端末１０１の通信端末制御部１１７は、ステップＳ１０１における基準情報の付加を行う前に、現在の通信条件が記憶部１１５に記憶されている通信条件を満たすか否かを判断することができる。なお、現在の通信条件が記憶されている通信条件を満たすとは、厳密に現在の通信条件が記憶されている通信条件と完全に一致することに限定されるものではない。例えば、通信端末制御部１１７は、誤差範囲を予め定め、現在の通信端末１０１や基地局１０３の位置が、記憶されている値の誤差範囲内であるならば、現在の通信条件は記憶されている通信条件を満たすとみなすことができる。
【００４８】
現在の通信条件が記憶されている通信条件を満たす場合、通信端末制御部１１７は、この通信条件に対応付けられている受信タイミング差を示す情報を記憶部１１５から読み出す。そして、通信端末制御部１１７は、この受信タイミング差を示す情報に基づいて、無線信号の送信タイミングを予め補正することができる。この場合、通信端末１０１は、受信タイミング差を示す情報を基地局１０３から受信する必要がないため、基準情報を付加せずに無線信号を基地局１０３に送信することができる。
【００４９】
このように本実施形態では、通信端末１０１は、基準情報が付加された複数の無線信号を基地局１０３に送信する。基地局１０３は、受信した基準情報から複数の無線信号の受信タイミング差を求め、当該受信タイミング差を示す情報を通信端末１０１に送信する。通信端末１０１は、受信タイミング差を示す情報に基づき、複数の無線信号の送信タイミングを補正する。つまり、通信端末制御部１１７は、遅延する無線信号の送信タイミングを、受信タイミング差の分、早める。これにより、基地局１０３は、複数の無線信号を同じタイミングで受信することができるので、受信した無線信号をバッファに蓄積することなく、復調処理を行うことができる。また、複数の無線信号の受信タイミングにずれ（遅延）が生じないため、遅延に伴うデータ損失を防止できる。
【００５０】
また、本実施形態では、通信端末１０１が、自端末１０１の位置情報と、基地局１０３の位置情報と、用いられた複数の周波数帯域１０５Ａ及び１０５Ｂとを含む通信条件を、受信タイミング差を示す情報と対応付けて記憶することができる。これにより、通信端末制御部１１７は、通信端末１０１と基地局１０３とがどのような位置関係にあり、キャリアアグリゲーション機能のためにどの周波数帯域を使用するとどれくらい受信タイミング差が発生するかについて把握することができる。
【００５１】
また、本実施形態では、通信端末１０１は、記憶されている通信条件を満たす無線通信を行う場合、当該通信条件に対応付けられている受信タイミング差を示す情報に基づき、複数の周波数帯域１０５Ａ及び１０５Ｂにおける無線信号の送信タイミングを予め補正することができる。これにより、通信端末１０１は、基準情報の送信から受信タイミング差の受信までの処理を行うことなく、送信タイミングの補正を行うことができる。送信タイミングの補正に必要な処理の削減によって、キャリアアグリゲーションの機能をより効率化することができる。例えば、通信端末１０１が通話を終了した後、再度同じ位置から同じ基地局１０３に接続するような場合に、通信端末１０１は、無線信号の送信タイミングを予め補正することができる。
【００５２】
また、本実施形態では、通信端末１０１は、所定の間隔で、基準情報が付加された複数の無線信号を送信し、当該送信毎に、基地局１０３から受信タイミング差を示す情報を受信することができる。これにより、所定の間隔で送信タイミングの補正が実現され、通信端末制御部１１７は、送信タイミングを時々刻々と変化する通信環境に対応させることができる。
【００５３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００５４】
例えば、各部材、各手段、各ステップなどに含まれる機能などは論理的に矛盾しないように再配置可能であり、複数の手段やステップなどを１つに組み合わせたり、或いは分割したりすることが可能である。
【００５５】
上述の本発明の実施形態の説明において、通信装置及び相手通信装置はそれぞれ通信端末及び基地局であるとしたが、本発明はこの態様に限定されるものではない。例えば、通信装置を基地局とし、相手通信装置を通信端末とすることができる。基地局がキャリアアグリゲーション機能を利用して、通信端末と通信を行う場合に本発明を適用することができる。また、基地局がある通信端末との通信条件と受信タイミング差とを対応付けて記憶する場合、この通信条件を満たす位置で他の通信端末が通信接続を要求すると、基地局は、予め補正された送信タイミングで、この他の通信端末に無線信号を送信できる。
【００５６】
上述の本発明の実施形態の説明において、相手通信装置は、通信端末と直接接続する基地局であるとしたが、本発明はこの態様に限定されるものではない。例えば、相手通信装置には、通信端末と直接接続する基地局のみならず、当該基地局を管理する管理装置、例えば光張り出し基地局における遠隔基地局（ＲＲＥ：Remote Radio Equipment）やＥＭＳ（エレメント管理システム）やＮＭＳ（ネットワーク管理システム）を含めることができる。このような場合、相手通信装置の一部である基地局が、基準情報を受信し、相手通信装置の一部である管理装置が、受信タイミング差を求めることができる。
【符号の説明】
【００５７】
１００  通信システム
１０１  通信端末（通信装置）
１０３  基地局（相手通信装置）
１０５Ａ、１０５Ｂ  周波数帯域
１１１  通信端末通信部（第１通信部）
１１３  通信端末ベースバンド部
１１５  記憶部
１１７  通信端末制御部（第１制御部）
１２１  基地局通信部（第２通信部）
１２３  基地局ベースバンド部
１２７  基地局制御部（第２制御部）
１３１Ａ１、１３１Ｂ１、１３１Ａ２、１３１Ｂ２  無線信号
１３３Ａ１、１３３Ｂ１、１３３Ａ２、１３３Ｂ２  基準情報
１３５ａ、１３５ｂ  受信タイミング差
【図１】
2013247643.tif 000003
【図２】
2013247643.tif 000004
【図３】
2013247643.tif 000005
【図４】
2013247643.tif 000006
【図５】
2013247643.tif 000007
【図６】
2013247643.tif 000008
【図７】
2013247643.tif 000009
【図８】
2013247643.tif 000010